(57)【要約】【課題】アルミ缶と瓶の混在する資源ゴミから、アルミ缶のみを選別することにより、その下流で瓶を手選別する人の負担を軽くし、瓶の選別効率を向上させることのできるアルミ缶選別装置、および資源ゴミ分別システムを提供する。【解決手段】少なくともアルミ缶および瓶が混在する資源ゴミ３２からアルミ缶１１を選別するアルミ缶選別装置であって、アルミ缶および瓶が混在する資源ゴミ３２を輸送する輸送手段１０３と、アルミ缶を上方に空気吸引するアルミ缶吸引手段１０１と、アルミ缶吸引手段１０１の下流に設けられ、本装置の下流に輸送される資源ゴミ１２の量を調整する資源ゴミ輸送量調整手段１０２とを備えているアルミ缶選別装置１０、およびこの装置を備えた資源ゴミ分別システムにより、上記課題を解決する。上記アルミ缶選別装置１０は、アルミ缶と瓶の混在する資源ゴミ１２から瓶を人の手で選別する瓶手選別手段４０の上流に設けられることが好ましい。【選択図】　　図２
2004113946.tif 000002
【特許請求の範囲】
【請求項１】
少なくともアルミ缶および瓶が混在する資源ゴミから前記アルミ缶を選別するアルミ缶選別装置であって、
アルミ缶および瓶が混在する資源ゴミを輸送する輸送手段と、
アルミ缶を上方に空気吸引するアルミ缶吸引手段と、
該アルミ缶吸引手段の下流に設けられ、本アルミ缶選別装置の下流に輸送される資源ゴミの量を調整する資源ゴミ輸送量調整手段とを備えていることを特徴とするアルミ缶選別装置。
【請求項２】
少なくともアルミ缶および瓶が混在する資源ゴミから前記瓶を人の手で選別する瓶手選別手段の上流に設けられたことを特徴とする請求項１に記載のアルミ缶選別装置。
【請求項３】
前記資源ゴミ輸送量調整手段が、個々のアルミ缶および／または瓶の嵩に対応して下端の高さが可動である資源ゴミ輸送量調整ストッパからなることを特徴とする請求項１または請求項２に記載のアルミ缶選別装置。
【請求項４】
前記アルミ缶吸引手段は、上流から輸送されてくる資源ゴミの嵩に対応して、アルミ缶吸引ノズルの末端に設けられた開口部の高さおよびアルミ缶を空気吸引する方向が調節可能であることを特徴とする請求項１乃至請求項３のいずれか１項に記載のアルミ缶選別装置。
【請求項５】
前記アルミ缶吸引手段は、アルミ缶を吸引することができ、かつ、瓶を吸引することができない空気吸引速度で空気吸引することを特徴とする請求項１乃至請求項４のいずれか１項に記載のアルミ缶選別装置。
【請求項６】
前記アルミ缶吸引手段により吸引されたアルミ缶が、選別されたアルミ缶を圧縮するアルミ缶圧縮手段の上流に空気輸送されることを特徴とする請求項１乃至請求項５のいずれか１項に記載のアルミ缶選別装置。
【請求項７】
請求項１乃至請求項６いずれか１項に記載のアルミ缶選別装置を備えたことを特徴とする資源ゴミ分別システム。
【発明の詳細な説明】
【０００１】
【発明の属する技術分野】
本発明は、資源ゴミの分別システムおよびそれに備えられるアルミ缶選別装置に関し、更に詳しくは、資源ゴミの分別システムにおける瓶手選別手段の瓶選別効率が向上した資源ゴミ分別システムおよびアルミ缶選別装置に関する。
【０００２】
【従来の技術】
瓶、アルミ缶、鉄缶が混在する資源ゴミの分別システムとしては、図４（イ）に示されるような資源ゴミ分別システム（イ）が知られている。資源ゴミ分別システム（イ）は、具体的には、回収されてきた資源ゴミ７１が分別システム内に取り込まれ、資源ゴミの入れられた袋を破り、その袋を取り去る破袋除袋手段２０、磁力により磁性金属である鉄缶を取り除く鉄缶磁力選別手段３０、人の手で瓶を色分けして取り除く瓶手選別手段４０、誘導電磁力によって非磁性金属であるアルミ缶とその他の残さを選別するアルミ缶誘導電磁力選別手段５０、アルミ缶をプレスするアルミ缶圧縮手段６０の順に構成されている。
【０００３】
また、図４（ロ）に示されるような、上記瓶手選別手段４０の上流に上記アルミ缶誘導電磁力選別手段５０を設けた態様の資源ゴミ分別システム（ロ）が知られている。
【０００４】
その他に、図５（ハ−１）に示されるような、上記瓶手選別手段４０の上流にアルミ缶横型風力選別手段８０を設けた態様の資源ゴミ分別システム（ハ）が知られている。アルミ缶横型風力選別手段８０としては、図５（ハ−２）に示されるような、横型風力選別装置８８が用いられる。横型風力選別装置８８は、瓶およびアルミ缶３２が投入される下側から、送風機８５により瓶及びアルミ缶３２が投入される方向へ風を送り、この風力とアルミ缶と瓶との重力差を利用して、比較的軽いアルミ缶は遠方へ飛ばされる軌跡８６を描いて落下させ、重い瓶は近方へ飛ばされる軌跡８７を描いて落下させることによりアルミ缶８１と瓶８２とを分離するものである。
【０００５】
【発明が解決しようとする課題】
しかしながら、（イ）の資源ゴミ分別システムにおいては、瓶手選別手段４０において、輸送されてくるアルミ缶と瓶との混在した資源ゴミ３２が瓶に対して非常に多くのアルミ缶を含むこととなる。そのため、大量のアルミ缶の中から瓶を手で選別することは、選別する人にとって非常に負担のかかるものであり、さらに、重い瓶が比較的軽いアルミ缶に埋もれてしまうため、瓶の選別効率が悪いという問題があった。
【０００６】
一方、（ロ）の資源ゴミ分別システムにおいては、瓶手選別手段４０の上流にアルミ缶誘導電磁力選別手段５０を設けた態様としていることから、瓶手選別手段４０において、輸送されてくるアルミ缶の量がなくなるか、または少なくすることができるので、資源ゴミ分別システム（イ）よりも、瓶を選別する人の負担が減少したものとなる。ここで、このアルミ缶誘導電磁力選別手段５０としては、コンベアベルトによって輸送された資源ゴミ３２から、非磁性金属であるアルミ缶を誘導電磁力によって選別するアルミ選別機が用いられる。このアルミ選別機においては、誘導電磁力がアルミ缶に与える影響が弱まらないようにアルミ缶と瓶の混在した資源ゴミ３２を輸送するゴムベルトが薄い材質で形成されている。従って、アルミ缶と瓶とが混在した資源ゴミ３２をこのアルミ選別機に投入すると、重いガラス瓶や割れたガラス瓶の破片によりゴムベルトが破損してしまい、アルミ缶誘導電磁力選別手段５０、ひいては資源ゴミ分別システム（ロ）自体が機能しなくなるという問題があった。
【０００７】
また、資源ゴミ分別システム（ハ）においては、瓶手選別手段４０の上流に横型風力選別手段８０を設けた態様としていることから、瓶手選別手段４０に輸送されてくるアルミ缶の量が少なくなるので、資源ゴミ分別システム（イ）よりも、瓶を選別する人の負担が減少したものとなる。しかしながら、この横型風力選別手段８０は、横から吹く風によって瓶とアルミ缶とを選別しているが、この風力選別手段によっては瓶とアルミ缶との分別効率が悪く、瓶として選別した集団８２の中にアルミ缶が混在し、アルミ缶として選別した集団８１の中に瓶が混在することとなる。その結果、瓶として選別した集団８２のみならず、アルミ缶として選別した集団８１についても、更に手選別を行わなければならず、より手選別する人に負担がかかり、システムが複雑になるという問題があった。
【０００８】
本発明の目的は、上述した問題が生じず、瓶とアルミ缶とが混在する資源ゴミから一定量のアルミ缶を確実に、瓶の混在が全くなく選別できる装置を提供するとともに、瓶手選別手段において人が瓶を手選別する際の負担が軽減され、瓶の選別効率が向上したアルミ缶選別装置、および、全体として資源ゴミの分別効率が向上した資源ゴミ分別システムを提供することにある。
【０００９】
【課題を解決するための手段】
上記目的を達成するために提供される本発明のアルミ缶選別装置は、少なくともアルミ缶および瓶が混在する資源ゴミから前記アルミ缶を選別するアルミ缶選別装置であって、アルミ缶および瓶が混在する資源ゴミを輸送する輸送手段と、アルミ缶を上方に空気吸引するアルミ缶吸引手段と、該アルミ缶吸引手段の下流に設けられ、アルミ缶選別装置の下流に輸送される資源ゴミの量を調整する資源ゴミ輸送量調整手段とを備えていることに特徴を有する。
【００１０】
この発明によれば、瓶とアルミ缶とが混在する資源ゴミから一定量（１００％でなくてよい）のアルミ缶を確実に選別することができ、選別したアルミ缶には瓶が全く混在しないという利点がある。また、資源ゴミ輸送量調整手段によってせき止められたアルミ缶に資源ゴミ輸送方向とは逆向きの圧力がかかりアルミ缶が浮く。その結果、アルミ缶の下側に空気が入ってアルミ缶に背圧がかかり、さらにアルミ缶吸引手段によって空気吸引されることにより、資源ゴミ中の比較的軽いアルミ缶が上方に吸引され、他の瓶等の資源ゴミからアルミ缶のみが選別される。なお、アルミ缶は軽く、瓶は重いために、空気吸引量を調整することにより、アルミ缶のみを吸引することが可能となる。また、空気吸引によりアルミ缶を選別するため、ベルトコンベアの乗り継ぎ部分ではなく、ベルトコンベア上での選別が可能である。
【００１１】
上記本発明のアルミ缶選別装置は、少なくともアルミ缶および瓶が混在する資源ゴミから前記瓶を人の手で選別する瓶手選別手段の上流に設けられたことに特徴を有する。
【００１２】
この発明によれば、瓶手選別手段の上流にアルミ缶選別装置が設けられているため、瓶手選別手段に輸送されるアルミ缶の量を減少させることができ、瓶を選別する人の負担を軽減させることができる。さらに、資源ゴミ輸送量調整手段があることにより、瓶手選別手段に輸送されるアルミ缶と瓶とが平準化され、瓶の上にアルミ缶が重なることを避けられるため、瓶を選別する人が選別をしやすくなる。
【００１３】
上記本発明のアルミ缶選別装置は、前記資源ゴミ輸送量調整手段が、個々のアルミ缶および／または瓶の嵩に対応して下端の高さが可動である資源ゴミ輸送量調整ストッパからなることに特徴を有する。
【００１４】
この発明によれば、輸送されてくるアルミ缶や瓶の嵩に応じて資源ゴミ輸送量調整手段である資源ゴミ輸送量調整ストッパの下端の高さを変えることができるため、瓶手選別手段に輸送されるアルミ缶及び瓶の量を調整でき、瓶手選別手段において作業をする人の負担をなるべく一定にすることが可能である。
【００１５】
上記本発明のアルミ缶選別装置は、前記アルミ缶吸引手段が、上流から輸送されてくる資源ゴミの嵩に対応して、アルミ缶吸引ノズルの末端に設けられた開口部の高さおよびアルミ缶を空気吸引する方向が調節可能であることに特徴を有する。また、前記アルミ缶吸引手段は、アルミ缶を吸引することができ、かつ、瓶を吸引することができない空気吸引速度で空気吸引することに特徴を有する。
【００１６】
この発明によれば、資源ゴミとアルミ缶吸引ノズルの開口部との間の距離を近づけ、またはアルミ缶を空気吸引する方向を傾斜させることで、アルミ缶の吸引効率を上げることができる。また、このように空気吸引速度を設定することにより、全く瓶を含まずにアルミ缶のみを吸引することが可能となる。
【００１７】
上記本発明のアルミ缶選別装置は、前記アルミ缶吸引手段により吸引されたアルミ缶が、選別されたアルミ缶を圧縮するアルミ缶圧縮手段の上流に空気輸送されることに特徴を有する。
【００１８】
この発明によれば、アルミ缶を空気吸引して輸送するため、配管することによりアルミ缶を輸送でき、別途ベルトコンベアを設置する必要がない。その結果、本発明のアルミ缶選別装置を備えた資源ゴミ分別システムを新設する場合のみならず、既存の資源ゴミ分別システムにおいても、本発明のアルミ缶選別装置を簡便に設置することができる。
【００１９】
上記目的を達成するために提供される本発明の資源ゴミ分別システムは、上記本発明のアルミ缶選別装置を備えたことに特徴を有する。
【００２０】
この資源ゴミ分別システムの発明によれば、上記した特徴を有するアルミ缶選別装置を備えているので、瓶手選別手段における瓶の選別効率が向上したものであり、資源ゴミ分別システム全体としての資源ゴミ分別効率が向上したものとなる。また、誘導電磁力によるアルミ選別機のゴムベルトを傷めることがなく、システム全体がスムーズに機能し、資源ゴミを分別することができる。
【００２１】
【発明の実施の形態】
以下、本発明のアルミ缶選別装置及び資源ゴミ分別システムについて図面を参照しつつ説明する。
【００２２】
図１は、本発明の資源ゴミ分別システムの一例を示す流れ図である。袋に入れられ、回収されてきた資源ゴミ７１（瓶、アルミ缶、鉄缶を含む）は、破袋除袋手段２０まで搬送され、破袋除袋手段２０に投入される。破袋除袋手段２０においては、資源ゴミ７１の入れられた袋が破砕され、その袋が取り除かれる。除かれた袋２１は別途回収される。ついで、袋から出された資源ゴミは鉄缶磁力選別手段３０に搬送される。鉄缶磁力選別手段３０においては、磁力により磁性のある鉄缶が取り除かれる。除かれた鉄缶３１は別途回収されて、リサイクルされる。残った瓶及びアルミ缶３２は、本発明のアルミ缶選別装置１０に輸送される。アルミ缶選別装置１０においては、瓶及びアルミ缶３２のうち、一部のアルミ缶１１が取り除かれる。残った瓶及びアルミ缶１２は瓶手選別手段４０に輸送され、瓶は人の手で選別され、取り除かれる。取り除かれた瓶４１は色別にストックヤードに貯留され、リサイクルされる。残ったアルミ缶４２は、不可避的に残留している残さと共にアルミ缶誘導電磁力選別手段５０に輸送され、アルミ缶５２と、残さ５１とに分別される。残さ５１はストックヤードに貯留される。アルミ缶５２は、アルミ缶選別装置１０によって取り除かれたアルミ缶１１とともにアルミ缶圧縮手段６０に投入され、アルミの塊６１に圧縮され、梱包されてリサイクルされる。なお、アルミ缶選別装置１０によって取り除かれたアルミ缶１１に、不可避的にプラスチックゴミや袋の切れ端などが混入してしまう場合には、そうした残さを含むアルミ缶１１をアルミ缶４２とともにアルミ缶誘導電磁力選別手段５０に輸送することも可能である。
【００２３】
このように、本発明の資源ゴミ分別システムにおいては、瓶手選別手段４０の上流にアルミ缶選別装置１０が設けられていることにより、瓶とアルミ缶とが混在する資源ゴミ３２から多くのアルミ缶のみを選別し、取り除くことができる。その結果、残った少量のアルミ缶と瓶１２が瓶手選別手段４０に輸送されるため、瓶手選別手段４０においては瓶と少量のアルミ缶の中から瓶を選別すればよくなり、瓶を手選別する人の負担が軽くなる。そのため、瓶手選別手段４０における瓶の選別効率が向上し、資源ゴミ分別システム全体としての分別効率も向上する。
【００２４】
アルミ缶選別装置１０によってアルミ缶を取り除く量は、多い方が好ましい。アルミ缶除去量が多いと、瓶手選別手段４０において瓶を選別する人の負担をより軽減させることができる。ただし、本発明のアルミ缶選別装置１０においては、瓶とアルミ缶からなる資源ゴミ３２における全てのアルミ缶を取り除く必要はない。アルミ缶選別装置１０の下流に設けられる瓶手選別手段４０において瓶の手選別が容易にできるようになり手選別作業の負担が軽減されればよく、さらに下流にはアルミ缶誘導電磁力選別手段５０であるアルミ選別機が設けられているので、このアルミ選別機により全てのアルミ缶を選別することが可能なためである。
【００２５】
図２は、本発明のアルミ缶選別装置１０の一例を示す側面図である。図２（ａ）は、本発明のアルミ缶選別装置１０を資源ゴミの輸送方向の側面側から見た図であり、図２（ｂ）は、資源ゴミの輸送方向の正面側から見た図である。図２（ｃ）は、図２（ａ）におけるアルミ缶吸引手段１０１の吸引ノズル１０５を傾斜させた態様を示す図であり、図２（ｄ）は、資源ゴミ輸送量調節手段１０２を具体的に示す図である。アルミ缶選別装置１０は、鉄缶磁力選別手段を経て残ったアルミ缶及び瓶からなる資源ゴミ３２（少なくともアルミ缶および瓶が混在している。以下、単に資源ゴミ３２ともいう。）を輸送する輸送手段１０３と、アルミ缶を空気吸引するアルミ缶吸引手段１０１と、このアルミ缶吸引手段１０１の下流に設けられ、資源ゴミ１２が瓶手選別手段４０へ輸送される量を調整する資源ゴミ輸送量調整手段１０２とから構成される。
【００２６】
こうしたアルミ缶選別装置１０は、アルミ缶と瓶とが混在する資源ゴミ３２のなかから、アルミ缶のみを空気吸引して、選別することができる。
【００２７】
アルミ缶吸引手段１０１は、鉄缶磁力選別手段３０を経て鉄缶（磁性金属）が除かれた資源ゴミ３２を、空気吸引（風力吸引）することにより、アルミ缶のみを上方へ吸引する。アルミ缶吸引手段１０１は、主として吸引ノズル１０５と開口部１０６とで構成される。
【００２８】
開口部１０６の高さは、輸送されてくる瓶及びアルミ缶からなる資源ゴミ３２の量（嵩）によって変動させることができる。例えば、資源ゴミ３２の量が多く嵩高い場合には、開口部も高めに設定し、逆に資源ゴミ３２の量が少なく嵩が低い場合には、開口部を低めに設定することができる。このように開口部の高さを変動させることで、吸い込むアルミ缶と開口部１０６との距離を短くすることができ、アルミ缶の吸引効率を高めることができる。搬送される資源ゴミ３２のうち、上側のアルミ缶と開口部１０６との間の距離は、アルミ缶を吸引できる範囲であれば特に限定されるものではないが、５〜３０ｃｍ程度、より好ましくは５〜１５ｃｍ程度とされる。なお、開口部１０６の高さは、吸引ノズル１０５に伸縮可能な部分（伸縮管１０７）と開口部高さ調節手段１０４（例えば、ウインチを用いる。）を設けて、吸引ノズル１０５を伸び縮みさせることにより、変動させることが可能である。
【００２９】
開口部１０６の大きさは、輸送手段１０３であるコンベアベルトの幅×１５０〜２５０ｍｍ程度の大きさとすることが好ましい。開口部１０６をこのような大きさとすることにより、アルミ缶を空気吸引するための適正な吸引風速が得られる。
【００３０】
吸引ノズル１０５は、上述した機能を果たせるものであればその材質は特に限定されないが、内面ゴムライニングされた鋼管を用いて作製されたノズルを用いることが好ましい。こうした材質のノズルを用いることにより、アルミ缶を吸引する際の騒音が防止できるとともに、吸引ノズル１０５の摩耗を防止することができる。
【００３１】
アルミ缶吸引手段１０１における空気吸引する方向、換言すると、吸引ノズル１０５によりアルミ缶が吸引される方向は、資源ゴミ輸送手段１０３により資源ゴミ３２が輸送される方向に対して垂直上向きとされる（図２（ａ））。また、この吸引する方向は、資源ゴミ３２の輸送量（嵩）に応じて、資源ゴミ３２が輸送される向きに対して垂直上向きから、その上流方向に４５度程度まで傾斜させることができる。例えば、資源ゴミ３２の輸送量が多いときに、吸引方向を傾斜させることが好ましい。具体的には、吸引ノズル１０５を傾斜させることにより、大量のアルミ缶がバラバラに順次吸引ノズル１０５に吸い込まれることになるため、開口部１０５が吸引された複数のアルミ缶で閉塞してしまうことを防止できる。このように、空気吸引する方向を、垂直上向きから４５度程度上流に傾斜した向きの間とすることにより、効率よくアルミ缶を選別することが可能となる。この空気吸引する方向は、吸引ノズル１０５の向きを変えることにより変えることができる。吸引ノズル１０５の向きは、伸縮管１０７を曲げることにより変えることができる。
【００３２】
アルミ缶吸引手段１０１における空気吸引速度は、アルミ缶を吸引することができ、かつ、瓶を吸引することができない空気吸引速度とすればよい。こうした範囲の空気吸引速度とすることにより、アルミ缶のみが吸引され、瓶が全く吸引されないようにすることができる。空気吸引速度は、具体的には１０〜２０ｍ／ｓとすることが好ましい。１０ｍ／ｓ未満ではアルミ缶を吸引することが困難となり、また、２０ｍ／ｓを超えると瓶を吸引することが可能となるため、アルミ缶のみを選別して吸引することが困難となる場合がある。実際に、空気吸引速度を上記範囲内である１２ｍ／ｓ程度とすることでアルミ缶のみを浮遊させて吸引することが可能である。空気吸引速度は、１５ｍ／ｓ程度に高めることがより好ましい。そうすると、輸送される資源ゴミ３２から浮遊し、選別されるアルミ缶１１の割合を高めることができるため、下流の瓶手選別手段４０における人の負担をより軽減させることができる。ただし、資源ゴミ３２の輸送速度や輸送量、上記開口部１０６の高さ等によってもアルミ缶の吸引が可能な空気吸引速度が変わるため、空気吸引速度は厳密には上記範囲に限定されるものではない。
【００３３】
図３は、本発明のアルミ缶選別装置１０を具体的に示す説明図である。上述のようにしてアルミ缶吸引手段１０１である吸引ノズル１０５から吸引されたアルミ缶１１は、図３に示すように、空気輸送管１５１の中を輸送され、分離装置１５２の中でアルミ缶と空気に分離される。
【００３４】
アルミ缶１１は、アルミ缶誘導電磁力選別手段５０によって選別されたアルミ缶５２と一緒に、排出装置１５６からアルミ缶圧縮手段６０に搬送され、リサイクルされる。なお、アルミ缶選別装置１０において、アルミ缶１１と一緒に袋やプラスチック、紙などの破片が吸引される場合には、アルミ缶１１は、瓶手選別手段４０において選別されずに残ったアルミ缶４２と一緒に、排出装置１５６からアルミ缶誘導電磁力選別手段５０に搬送されることも可能である。この場合には、アルミ缶誘導電磁力選別手段５０においてアルミ缶選別装置１０において吸引されたアルミ缶１１とプラスチックゴミ等の残さが分別される。
【００３５】
一方、分離機１５２で分離された空気は、集塵装置１５３（例えば、バグフィルタを用いる。）で集塵された後、空気ダクト１５４内を送風機１５５によって外気に排出される。なお、上記した空気吸引速度は、送風機１５５によって調節されることになる。
【００３６】
本発明のアルミ缶選別装置１０は、上述のようにアルミ缶１１を空気吸引して輸送するため、配管することによりアルミ缶１１を輸送でき、別途ベルトコンベアを設置する必要がない。そのため、本発明のアルミ缶選別装置１０を備えた資源ゴミ分別システムを新設する場合のみならず、既存の資源ゴミ分別システムにおいても、本発明のアルミ缶選別装置１０を簡便に設置することができる。
【００３７】
図２（ａ）、（ｃ）に示すように、資源ゴミ輸送量調整手段１０２は、資源ゴミ輸送手段１０３の上方で、かつ、アルミ缶吸引手段１０１の下流に設けられる。資源ゴミ輸送量調節手段１０２は、瓶手選別手段４０に輸送されるアルミ缶と瓶１２を平準化する役割を果たす。その結果、瓶手選別手段４０に大量のアルミ缶及び瓶が一時に輸送されることが防止でき、瓶の上にアルミ缶が重なって輸送されることがなくなるため、瓶手選別手段４０において、アルミ缶と瓶からなる資源ゴミ１２の中から瓶を選別しやすくなる。
【００３８】
また、資源ゴミ輸送量調整手段１０２は、上記の役割と共に、積み上げられたアルミ缶をせき止めて、アルミ缶に対し輸送方向とは逆向きに圧力をかける役割を果たす。この圧力によりアルミ缶が浮き、アルミ缶の下側に空気が入ってアルミ缶に背圧がかかり、上記アルミ缶吸引手段１０１によるアルミ缶の吸引が補助されて、アルミ缶吸引手段１０１において効率よくアルミ缶を吸引することが可能となる。
【００３９】
資源ゴミ輸送量調整手段１０２としては、上述の役割を果たすストッパが用いられる。ストッパとしては、そうした役割を果たすものであればどのような材質のものを用いても良く、特に限定されないが、例えば、平鋼板等が用いられる。また、資源ゴミ輸送量調整手段１０２は、資源ゴミ輸送手段１０３の幅と同程度の幅とされる。その結果、その下流にある瓶手選別手段４０における輸送方向の垂直方向において、輸送されるアルミ缶及び瓶１２は平準化されており、アルミ缶と瓶からなる資源ゴミ１２の中から瓶を選別しやすくなる。
【００４０】
資源ゴミ輸送量調整手段１０２として用いられるストッパと、資源ゴミ輸送手段１０３として用いられる機械との間の距離は、瓶手選別手段４０に輸送される個々の瓶、アルミ缶の高さ（嵩）に応じて変えることが可能である。資源ゴミ輸送量調整手段１０２と資源ゴミ輸送手段１０３との間の距離は限定されるものではないが、通常、１０〜２０ｃｍ程度とされる。
【００４１】
資源ゴミ輸送量調整手段１０２としては、例えば、図２（ｄ）の上側に上面図および下側に資源ゴミ３２の輸送方向から見た側面図を示したように、資源ゴミ輸送手段１０３であるコンベアのベルトの両側に丸棒（丸鋼）からなる２本の柱が設けられ、この２本の柱の間にコンベアベルトと同程度の幅の平鋼板で作製されたストッパを設けると共にストッパの両側に丸棒からなる柱を通すことのできる空洞を設け、その空洞に丸棒からなる柱を通してねじで止めることにより、その柱に沿って上下に可動である構成になっているものを用いることができる。
【００４２】
資源ゴミ輸送手段１０３としては、例えばベルトコンベア等、公知の輸送手段が用いられる。資源ゴミ輸送手段１０３は、鉄缶の取り除かれた資源ゴミ３２を瓶手選別手段４０へ輸送する。このとき、資源ゴミ輸送速度は、特に限定されるものではなく、鉄缶磁力選別手段を経て残ったアルミ缶及び瓶からなる資源ゴミ３２の量によって適宜変更すればよいが、通常、５〜１５ｍ／ｍｉｎ程度とされる。
【００４３】
本発明のアルミ缶選別装置においては、瓶手選別手段４０に輸送されるアルミ缶及び瓶１２に対して過量分のアルミ缶が、資源ゴミ輸送量調節手段１０２によってせき止められ、そのアルミ缶が資源ゴミ輸送手段１０３上を輸送方向に進んだり戻ったりしている間に、アルミ缶吸引手段１０１によってアルミ缶が上方に吸い上げられてアルミ缶が選別されるものである。
【００４４】
【発明の効果】
以上説明したように、本発明のアルミ缶選別装置によれば、瓶とアルミ缶とが混在する資源ゴミから、一定量（１００％でなくてよい）のアルミ缶を確実に選別することができ、選別したアルミ缶には瓶が全く混在しないという利点がある。また、資源ゴミ輸送量調整手段によってせき止められたアルミ缶に、資源ゴミ輸送方向とは逆向きの圧力がかかりアルミ缶が浮く。その結果、アルミ缶の下側に空気が入ってアルミ缶に背圧がかかり、さらにアルミ缶吸引手段によって空気吸引されることにより、資源ゴミ中の比較的軽いアルミ缶が上方に吸引され、他の瓶等の資源ゴミからアルミ缶のみが選別される。なお、アルミ缶は軽く、瓶は重いために、空気吸引量を調整することにより、アルミ缶のみを吸引することが可能となる。また、空気吸引によりアルミ缶を選別するため、ベルトコンベアの乗り継ぎ部分ではなく、ベルトコンベア上での選別が可能である。
【００４５】
また、上記本発明のアルミ缶選別装置によれば、瓶手選別手段の上流にアルミ缶選別装置が設けられているため、瓶手選別手段に輸送されるアルミ缶の量を減少させることができ、瓶を選別する人の負担を軽減させることができる。さらに、資源ゴミ輸送量調整手段があることにより、瓶手選別手段に輸送されるアルミ缶と瓶とが平準化され、瓶の上にアルミ缶が重なることを避けられるため、瓶を選別する人が選別をしやすくなる。
【００４６】
また、上記本発明のアルミ缶選別装置によれば、輸送されてくる個々のアルミ缶や瓶の嵩に応じて資源ゴミ輸送量調整手段である資源ゴミ輸送量調整ストッパの下端の高さを変えることができるため、瓶手選別手段に輸送されるアルミ缶及び瓶の量を調整でき、瓶手選別手段において作業をする人の負担をなるべく一定にすることが可能である。
【００４７】
上記本発明のアルミ缶選別装置によれば、資源ゴミとアルミ缶吸引ノズルの開口部との間の距離を近づけ、またはアルミ缶を空気吸引する方向を傾斜させることで、アルミ缶の吸引効率を上げることができる。また、このように空気吸引速度を設定することにより、全く瓶を含まずにアルミ缶のみを吸引することが可能となる。
【００４８】
上記本発明のアルミ缶選別装置によれば、アルミ缶を空気吸引して輸送するため、配管することによりアルミ缶を輸送でき、別途ベルトコンベアを設置する必要がない。その結果、本発明のアルミ缶選別装置を備えた資源ゴミ分別システムを新設する場合のみならず、既存の資源ゴミ分別システムにおいても、本発明のアルミ缶選別装置を簡便に設置することができる。
【００４９】
本発明の資源ゴミ分別システムによれば、上記した特徴を有するアルミ缶選別装置を備えているので、瓶手選別手段における瓶の選別効率が向上したものであり、資源ゴミ分別システム全体としての資源ゴミ分別効率が向上したものとなる。また、誘導電磁力によるアルミ選別機のコンベアベルトを傷めることがなく、システム全体がスムーズに機能し、資源ゴミを分別することができる。
【図面の簡単な説明】
【図１】本発明の実施の形態に係る資源ゴミ分別システムの各手段を説明するフローシートである。
【図２】本発明の実施の形態に係るアルミ缶選別装置を示す側面図である。
【図３】本発明の実施の形態に係るアルミ缶選別装置を示す説明図である。
【図４】従来の資源ゴミ分別システムの例を示す説明図である。
【図５】従来の他の資源ゴミ分別システムの例を示す説明図である。
【符号の説明】
１０　　　アルミ缶選別装置
１０１　　アルミ缶吸引手段
１０２　　資源ゴミ輸送量調整手段
１０３　　資源ゴミ輸送手段
１０４　　開口部高さ調節手段（ウインチ）
１０５　　吸引ノズル
１０６　　開口部
１０７　　伸縮管
１１　　　アルミ缶選別装置により選別されたアルミ缶
１２　　　アルミ缶選別装置により選別されずに残ったアルミ缶と瓶
１５１　　空気輸送管
１５２　　分離機
１５３　　集塵装置（バグフィルタ）
１５４　　空気ダクト
１５５、８５　　送風機
１５６　　排出装置
２０　　　破袋除袋手段
２１　　　破袋除袋手段により取り除かれた袋
３０　　　鉄缶磁力選別手段
３１　　　鉄缶磁力選別手段により取り除かれた鉄缶
３２　　　鉄缶磁力選別手段を経て残ったアルミ缶及び瓶
４０　　　瓶手選別手段
４１　　　瓶手選別手段により取り除かれた瓶
４２　　　瓶手選別手段を経て残ったアルミ缶（と残さ）
５０　　　アルミ缶誘電力選別手段
５１　　　アルミ缶誘電力選別手段により分別された残さ
５２　　　アルミ缶誘電力選別手段により分別されたアルミ缶
６０　　　アルミ缶圧縮手段
６１　　　アルミ缶圧縮手段により圧縮されたアルミの塊
７１　　　回収されてきた瓶、アルミ缶、鉄缶を含む資源ゴミ
８０　　　アルミ缶横型風力選別手段
８１　　　アルミ缶横型風力選別手段により分別されたアルミ缶（と瓶）
８２　　　アルミ缶横型風力選別手段により分別された瓶（とアルミ缶）
８６　　　アルミ缶の軌跡
８７　　　瓶の軌跡
８８　　　アルミ缶横型風力選別装置
【図１】
2004113946.tif 000003
【図２】
2004113946.tif 000004
【図３】
2004113946.tif 000005
【図４】
2004113946.tif 000006
【図５】
2004113946.tif 000007